(57)【要約】【課題】  画像形成装置の周囲の温度によって誤検知せずに、画像形成装置への人の接近を正確に検知する。【解決手段】  複数の検知部を有する人感センサを備える画像形成装置において、画像形成装置に接近する人を検知するために、人感センサが検知した温度データを取得する。そして、保持手段によって保持された前記背景温度データと、取得された温度データと、に基づいて、画像形成装置に接近する人が存在するか否かを判断する。ここで、画像形成装置に接近する人が存在すると判断された場合に、画像形成装置を省電力モードからスタンバイモードに移行させることを特徴とする。【選択図】  図６
2018207498.tif 000002
【特許請求の範囲】
【請求項１】
複数の検知部を有する人感センサを備える画像形成装置であって、
前記画像形成装置の周囲の温度状態を示す背景温度データを保持する保持手段と、
前記画像形成装置に接近する人を検知するために、前記人感センサが検知した温度データを取得する取得手段と、
前記保持手段によって保持された前記背景温度データと、前記取得手段によって取得された温度データと、に基づいて、前記画像形成装置に接近する人が存在するか否かを判断する判断手段と、
前記判断手段によって前記画像形成装置に接近する人が存在すると判断された場合に、前記画像形成装置を省電力モードからスタンバイモードに移行させる移行手段と、を備えることを特徴とする画像形成装置。
【請求項２】
前記取得手段は、前記判断手段により前記画像形成装置に接近する人が存在しないと判断された場合に、前記人感センサが検知した温度データを再度取得し、
前記判断手段は、前記保持手段によって保持された前記背景温度データと、前記取得手段によって再度取得された温度データと、に基づいて、前記画像形成装置に接近する人が存在するか否かを判断する、ことを特徴とする請求項１に記載の画像形成装置。
【請求項３】
前記保持手段に保持された背景温度データを更新する更新手段をさらに備える、ことを特徴とする請求項１又は２に記載の画像形成装置。
【請求項４】
ユーザの操作を受け付ける操作手段をさらに備え、
前記移行手段が前記画像形成装置を省電力モードからスタンバイモードに移行させた後、前記操作手段が操作されなかった場合に、前記更新手段は、前記背景温度データを更新する、ことを特徴とする請求項３に記載の画像形成装置。
【請求項５】
前記検知部は、赤外線センサを受信する赤外線受信センサである、ことを特徴とする請求項１乃至４の何れか１項に記載の画像形成装置。
【請求項６】
前記検知部は、赤外線を出力し、その出力した赤外線の反射を受信する赤外線送受信センサである、ことを特徴とする請求項１乃至４の何れか１項に記載の画像形成装置。
【請求項７】
前記人感センサは、複数の検知部が線状または格子状に配列されたセンサである、ことを特徴とする請求項１乃至６の何れか１項に記載の画像形成装置。
【請求項８】
用紙に画像を形成する画像形成手段をさらに備える、ことを特徴とする請求項１乃至７の何れか１項に記載の画像形成装置。
【請求項９】
前記スタンバイモードでは、前記省電力モードでは電力が供給されなかった部分に電力が供給される、ことを特徴とする請求項１乃至８の何れか１項に記載の画像形成装置。
【請求項１０】
複数の検知部を有する人感センサを備える画像形成装置の制御方法であって、
前記画像形成装置の周囲の温度状態を示す背景温度データを保持する保持工程と、
前記画像形成装置に接近する人を検知するために、前記人感センサが検知した温度データを取得する取得工程と、
前記保持工程によって保持された前記背景温度データと、前記取得工程によって取得された温度データと、に基づいて、前記画像形成装置に接近する人が存在するか否かを判断する判断工程と、
前記判断工程によって前記画像形成装置に接近する人が存在すると判断された場合に、前記画像形成装置を省電力モードからスタンバイモードに移行させる移行工程と、を備えることを特徴とする画像形成装置の制御方法。
【請求項１１】
複数の検知部を有する人感センサを備える画像形成装置のコンピュータを、
前記画像形成装置の周囲の温度状態を示す背景温度データを保持する保持手段、
前記画像形成装置に接近する人を検知するために、前記人感センサが検知した温度データを取得する取得手段、
前記保持手段によって保持された前記背景温度データと、前記取得手段によって取得された温度データと、に基づいて、前記画像形成装置に接近する人が存在するか否かを判断する判断手段、および、
前記判断手段によって前記画像形成装置に接近する人が存在すると判断された場合に、前記画像形成装置を省電力モードからスタンバイモードに移行させる移行手段、として機能させるプログラム。
【発明の詳細な説明】
【技術分野】
【０００１】
本発明は、画像形成装置、画像形成装置の制御方法、及びプログラムに関するものである。
【背景技術】
【０００２】
人を検知する人感センサを備えた画像形成装置が知られている（特許文献１参照）。画像形成装置に設けられた人感センサによって、人が画像形成装置に近づいてきたとかどうかを判断することで、画像形成装置を省電力モードからスタンバイモードへ復帰させる。ユーザが画像形成装置の前に到着する前に、画像形成装置をスタンバイモードに復帰させることで、ユーザは画像形成装置の前で待たずに画像形成装置の操作が可能になる。
【先行技術文献】
【特許文献】
【０００３】
【特許文献１】特開２０１２−５８６４５号公報
【発明の概要】
【発明が解決しようとする課題】
【０００４】
上記特許文献１は、人感センサとして、人から発せられる熱（赤外線）を検知する赤外線センサを用いる例を開示している。しかしながら、特許文献１では、この赤外線センサが、画像形成装置の周囲の温度（例えば、カーテンの開放による太陽光の入射、蛍光灯の点灯、パソコンなどの電子機器の電源投入など）の影響を受けることについては何ら言及していない。
しかしながら、特許文献１に開示される赤外線センサは、画像形成装置の周囲の温度を検知してしまうので、カーテンの開放、蛍光灯の点灯およびパソコンの起動による熱などが発生した場合には、赤外線センサは画像形成装置の人が近付いてきたと判断してしまう。これにより、画像形成装置が、誤検知でスタンバイモードに移行してしまう。
【０００５】
本発明は、上記の課題を解決するためになされたもので、本発明の目的は、画像形成装置の周囲の温度によって誤検知せずに、画像形成装置への人の接近を正確に検知することである。
【課題を解決するための手段】
【０００６】
上記目的を達成する本発明の画像形成装置は以下に示す構成を備える。
複数の検知部を有する人感センサを備える画像形成装置であって、前記画像形成装置の周囲の温度状態を示す背景温度データを保持する保持手段と、前記画像形成装置に接近する人を検知するために、前記人感センサが検知した温度データを取得する取得手段と、前記保持手段によって保持された前記背景温度データと、前記取得手段によって取得された温度データと、に基づいて、前記画像形成装置に接近する人が存在するか否かを判断する判断手段と、  前記判断手段によって前記画像形成装置に接近する人が存在すると判断された場合に、前記画像形成装置を省電力モードからスタンバイモードに移行させる移行手段と、を備えることを特徴とする。
【発明の効果】
【０００７】
本発明によれば、人の画像形成装置への接近を温度変化として検知する画像形成装置において、当該周囲の温度変化に対して誤検知しないように適切に人の接近を検知できる。
【図面の簡単な説明】
【０００８】
【図１】画像形成装置の全体図である。
【図２】人感センサの検知範囲を示す図である。
【図３】画像形成装置のハードウェア構成を示すブロック図である。
【図４】画像形成装置の電源ブロック図である。
【図５】人感センサの検知状態を示した図である。
【図６】背景温度データを更新するためのフローチャートである。
【発明を実施するための形態】
【０００９】
次に本発明を実施するための形態について図面を参照して説明する。
＜システム構成の説明＞
〔第１実施形態〕
【００１０】
図１は、本実施形態の画像形成装置１００の全体図である。図１の（Ａ）は画像形成装置の正面図である。図１の（Ｂ）は画像形成装置の平面図である。ここで、画像形成装置は、複数の機能（プリント機能、スキャナ機能、コピー機能、ＦＡＸ機能など）を備える複合機、ファクシミリ装置、スキャナ装置が含まれる。また、本実施形態では、特に図示しないが、画像形成装置は、周囲に、パーソナルコンピュータ、照明、暖房等の熱源も配置される環境下に設置されている。
【００１１】
図１において、画像形成装置１００は、操作部１０１、スキャナ１０２、胴内フィニッシャー１０３、給紙カセット１０４などから構成される。本実施形態の画像形成装置は、コピー、プリント、ＦＡＸ、スキャンなどの機能を持つ。
画像形成装置１００は、スタンバイモード（第１の電力状態）、スタンバイモードよりも消費電力が小さい省電力モード（第２の電力状態）となる。スタンバイモードは、コピー、プリント、ＦＡＸ、スキャンなどの各機能を実行可能な状態である。省電力モードは、復帰要因を検知した場合に、スタンバイモードに移行可能な状態であって、当該復帰要因（節電キー２１４の押下、外部装置からの起床要求パケットの受信、人感センサによる人の検知など）を検知する箇所に電力が供給されて、上記した各機能を実行する機能部（プリンタ２１６やスキャナ１０２）には電力が供給されていない。図１に示すように、画像形成装置１００の正面には、人感センサ１０７が設けられる。この人感センサ１０７は、省電力モードで動作する。
【００１２】
図２は、図１に示した人感センサの検知範囲の一例を示す図である。
なお、本実施形態の人感センサ１０７は、赤外線を受光する素子が格子状に配置された赤外アレイセンサ（赤外線受信センサ）である。この赤外線アレイセンサは、赤外線を発射し、且つ、その赤外線の反射を受信するアクティブ型のセンサ（赤外線送受信センサ）であっても良いし、人などから放射される赤外線を受信するパッシブ型のセンサであっても良い。本実施形態の人感センサ１０７は、アクティブ型である。この人感センサ１０７は、床や机の上の熱源を検知しないように斜め上方に向けて配置されている。したがって、画像形成装置１００の遠くから、画像形成装置１００に人が接近してきた場合には、赤外線センサ１０７の下側の素子から熱を検知する。なお、赤外線センサは、素子が線状に配列されたタイプであってもよい。
【００１３】
図３は、図１に示した画像形成装置のハードウェア構成を示すブロック図である。図３の（Ａ）は、スタンバイモードの画像形成装置のブロック図である。また、図３の（Ｂ）は、省電力モードの画像形成装置のブロック図である。図３の（Ｂ）のグレーで表示された箇所には電力供給が停止されている。
【００１４】
図３の（Ａ）において、コントローラ２２６は、ＬＡＮコントローラ２１２、ＬＡＮＩ／Ｆ２１７を介してＬＡＮ２２４に接続される。また、ＦＡＸ２２５は、電話回線２２３に接続されている。ＣＰＵ２０４は、コントローラ２２６の装置全体を制御するソフトウェアプログラムを実行する。ＲＡＭ２０６は、ＣＰＵ２０４が装置を制御する際の一時的なデータの格納などに使用される。ＲＯＭ２０５は、装置の起動プログラムや各種設定値等が格納されている。ストレージ２０７は、ハードディスクドライブ（ＨＤＤ）やソリッドステートドライブ（ＳＳＤ）で構成され、様々なデータ格納に使用される。
操作部１０１は操作用液晶パネルや節電キー２１４を含むハードキーを備え、ユーザから入力される指示を受け付ける。操作部Ｉ／Ｆ２０９は、コントローラ２２６と操作部１０１とを接続するインターフェースである。ＡＤＦ（Ａｕｔｏ  Ｄｏｃｕｍｅｎｔ  Ｆｅｅｄｅｒ）２３０は、原稿を連続してスキャナ部１０２で画像を読み込むために、当該原稿をスキャナ部１０２の読取部に搬送する装置である。ＡＤＦ２３０はユーザから原稿が置かれたことを検知するための原稿検知部２２９を備える。原稿検知部２２９は、ＡＤＦ  Ｉ／Ｆ２２８を経由して、電源制御部２０３に接続される。省電力モードで、原稿検知部２２９が原稿を検知した場合には、画像形成装置１００は、省電力モードからスタンバイモードへ移行する。
ＣＰＵ２０４は、ＡＤＦ  Ｉ／Ｆ２２８を経由してＡＤＦ２３０の制御を行う。スキャナ１０２は、原稿台またはＡＤＦ２３０に設置された原稿の画像を読み取り、画像データを生成する。ＣＰＵ２０４は、スキャナＩ／Ｆ２１０を経由してスキャナ１０２の制御を行う。プリンタ２１６は、生成された画像データまたは読み取った画像データに基づく画像を用紙（シート）に印刷する。ＣＰＵ２０４は、プリンタＩ／Ｆ２１１を経由してプリンタ２１６の制御を行う。
【００１５】
ＦＡＸ２２５は、モデム２１８、ＣＰＵ２１９、ＲＡＭ２２１、ＲＯＭ２２０、受信検知部２２２で構成される。ＦＡＸ２２５は、電話回線２２３を介して外部装置とのデータ通信制御を行う。モデム２１８は、ＦＡＸ２２５の送受信のための変調を行う。ＣＰＵ２１９は、ＦＡＸＩ／Ｆ２０８を介してＦＡＸ２２５の送受信の制御を行う。
ＲＡＭ２２１は、ＣＰＵ２１９がＦＡＸ２２５を制御する際に一時的なデータを格納する。ＲＯＭ２２０は、ＦＡＸ２２５の起動プログラムや各種設定値等が格納されている。ＦＡＸ２２５のＣＰＵ２１９、ＲＡＭ２２１およびＲＯＭ２２０の機能を、コントローラ２２６に持たせても良い。電源制御部２０３は、画像形成装置１００の電力制御を行う。電源制御部２０３は、電源２０１に接続される電源部２０２によって生成される電力の各部への供給および停止を制御する。
【００１６】
人感センサ１０７は、赤外線を出力するともに、出力した赤外線が物体で反射した赤外線を受信する。受信した赤外線によって、前記物体の温度を測定することができる。人感センサ１０７のメモリ２３３は、図５（ａ）に示すように、背景温度データを保持する。この背景温度データとは、画像形成装置１００の周囲の環境の温度を示す情報である。例えば、画像形成装置１００の周囲に蛍光灯やＰＣなどが設置される場合には、背景温度データは、蛍光灯やＰＣの温度情報を含んでいる。この背景温度データは、画像形成装置の周囲に人がいないときに取得するのが好ましい。背景温度データは、定期的に更新される。この更新の方法については、後述する。また、人感センサ１０７は、図５（ｂ）に示すように、画像形成装置１００に近づく人を検知するために、所定時間間隔で画像形成装置１００の周辺の温度を取得する。以下、時刻Ｔで取得された温度データを温度データ（Ｔ）とする。センサＣＰＵ２３２は、背景温度データと温度データ（Ｔ）とに基づいて、画像形成装置１００の周囲に人が存在するか否かを判断する。センサＣＰＵ２３２による前記した判断の詳細は、後述する。
上記した背景温度データは、定期的に調整しなければならない。なぜなら、カーテンの開放、ＰＣの電源ＯＮ、エアコンの設定などによって、画像形成装置１００の周囲の温度は常に変化している。したがって、背景温度データを定期的に更新しておかないと、画像形成装置１００に接近する人を正確に把握できなくなってしまう。
【００１７】
人感センサＣＰＵ２３２は、電源制御部２０３と接続され、画像形成装置１００に接近する人が存在すると判断した場合に、画像形成装置１００をスタンバイモードに移行させる信号（移行指示信号５０４（図４参照））を電源制御部２０３へ送信する。
【００１８】
スタンバイモードでは、図３の（Ａ）に示したように全てのブロックに電力が供給されている。なお、スタンバイモードでは、必要な機能にのみに電力を供給するようにしても良い。例えば、ＬＡＮ２２４を介して、プリンタ２１６に印刷させる印刷ジョブを受信した場合には、プリンタ２１６に電力を供給し、印刷ジョブを処理するのに使用しないスキャナ１０２等には電力を供給しなくても良い。
省電力モードでは、図３の（Ｂ）に示したように一部のブロックに電力が供給されている。まず、電源２０１から電源部２０２に電源が供給される。電源部２０２でＡＣ／ＤＣ変換された電力は、ＲＡＭ２０６、人感センサ１０７、ＦＡＸＩ／Ｆ２０８、受信検知部２２２、節電キー２１４、操作部ＩＦ２０９、ＬＡＮコントローラ２１２、ＬＡＮＩ／Ｆ２１７、原稿検知部２２９、ＡＤＦ  Ｉ／Ｆ２２８に供給される。
【００１９】
以下、図４を参照して、スタンバイモードまたは省電力モードへの移行条件について説明する。
図４は、画像形成装置の電源ブロック図である。
省電力モードにおいて、ＦＡＸ２２５の受信検知部２２２が、ＦＡＸの受信を検知した場合には、電源制御部２０３へＦＡＸＩ／Ｆ２０８を経由して、移行指示信号５０２を送信する。これにより、電源制御部２０３が画像形成装置１００をスタンバイモードへ移行する。また、省電力モードにおいて、ＬＡＮコントローラ２１２が、ＬＡＮＩ／Ｆ２１７より印刷ジョブなどスタンバイモードへの移行が必要なジョブを受信した場合には、電源制御部２０３へ移行指示信号５０１を送信する。これにより、電源制御部２０３が画像形成装置１００をスタンバイモードへ移行する。
また、省電力モードにおいて、ユーザによって節電キー２１４が押下された場合、節電キー２１４は、操作部Ｉ／Ｆ２０９を経由して、電源制御部２０３へ移行指示信号５０３を送信する。これにより、電源制御部２０３が画像形成装置１００をスタンバイモードへ移行する。操作部１０１には、節電キー２１４のみ記載しているが、タッチパネルによるユーザのタッチを認識して移行指示信号５０３を電源制御部２０３に送信する構成を取っても良い。
また、本実施形態では、省電力モードにおいて、センサＣＰＵ２３２によって画像形成装置１００に接近する人が存在すると判断された場合、センサＣＰＵ２３２は、電源制御部２０３へ移行指示信号５０４を送信する。これにより、電源制御部２０３が画像形成装置１００をスタンバイモードへ移行する。
【００２０】
次に、図４を参照して、電源部２０２の詳細について説明する。電源（プラグ）２０１から入力された電源は、ＳＷ３１０を介して第１電源部３００に供給される。また、電源（プラグ）２０１から入力された電源は、ＳＷ３１２を介して第２電源部３０２に供給される。ＳＷ３１０は、ユーザが手動でオンすることが出来るシーソーＳＷやボタンＳＷである。
ここで、ＳＷ３００がオンされた場合には、電源制御部２０３は、ＳＷ３１２へオン命令信号５１３を送信する。これにより、画像形成装置１００がスタンバイモードへ移行する。ＳＷ３１０がオンすることで電力が供給される第一電源部３００は、省電力モードで動作するブロックに電力を供給する。第二電源部３０２は、スタンバイモードで動作するブロックに電力を供給する。
第一電源部３００は、例えば、５．０Ｖの直流電圧を生成する。また、第二電源部３０２は、例えば、２４．０Ｖの直流電圧を生成する。
【００２１】
次に、電源制御部２０３が、スタンバイモードへの移行指示（移行指示信号５０１、５０２、５０３、５０４、５３７）を受信した場合について説明する。
電源制御部２０３は、スタンバイモードへ移行する必要のある移行指示信号を１つでも受信した場合に、ＳＷ３１２へオン命令信号５１３を送信する。これにより、電源２０１から第二電源部３０２に電力が供給される。そして、第二電源部３０２は、生成した直流電源を操作部１０１、プリ他部２１６、スキャナ部１０２などに供給する。その結果、画像形成装置１００が省電力モードからスタンバイモードに移行する。スタンバイモードでは、省電力モードでは電力が供給されなかった部分に電力が供給される。
【００２２】
図５は、人感センサの検知状態を示した図である。
図５（ａ）は、背景温度データを示す図である。背景温度データは、画像形成装置１００の周囲の環境の温度状態を示している。この背景温度データは、画像形成装置１００の周囲の温度状態を示している。図５（ａ）に示した背景温度データのグレーや黒の箇所は、例えば、蛍光灯やＰＣなどの熱源を示す。この背景温度データは、画像形成装置１００の周囲に人が存在しないタイミングで取得されるのが好ましい。例えば、画像形成装置１００の操作部１０１が所定時間操作されなかったタイミングで取得した温度データを、背景温度データとすることができる。なお、グレーで示された素子は、例えば、白で示された素子は、３０℃未満の温度を検知し、３０℃〜３４℃の温度を検知しており、黒で示された素子は、例えば、３５℃以上の温度を検知している。
図５（ｂ）は、所定時間間隔（例えば、０．２秒間隔）で取得される温度データである。この温度データは、画像形成装置１００が省電力モードの間、所定時間間隔で取得される。センサＣＰＵ２３２は、Ｔ１，Ｔ２，Ｔ３，Ｔ４…と所定時間間隔で人感センサ１０７から温度データを取得する。
図５（ｂ）を参照すると、時間経過にともなって所定温度以上の熱源を検知する素子の数が増加している。人が画像形成装置１００に接近する場合には、図５（ｂ）のように所定温度以上を検知する素子が増加する。
【００２３】
図５（ｃ）は、背景温度データと温度データとから算出された加工データである。加工データは、背景温度データと温度データとの差分から作成される。ここでは、背景温度データと温度データとの差分から加工データを生成するが、背景温度データおよび温度データに基づいて加工データを生成すれば、その計算方法は差に限定されない。また、各温度データや各加工データからノイズを除去するために、フィルタリング処理を行っても良い。
加工データは、背景温度データによって示される熱源以外の熱源を示している。センサＣＰＵ２３２は、これらの加工データ（Ｔ）によって、画像形成装置１００に人が接近したか否かを判断する。
【００２４】
本実施形態では、図５（ｃ）に示した復帰ラインを超えた人感センサ１０７の素子が、熱源を検知した場合に、センサＣＰＵ２３２は、画像形成装置１００に人が接近したと判断する。これにより、画像形成装置１００が省電力モードからスタンバイモードに移行する。
加工データ（Ｔ４）では、復帰ラインを超えた人感センサ１０７の素子が熱源を検知するので、画像形成装置１００は、時刻Ｔ４でスタンバイモードに復帰する。なお、ここでは、復帰ラインを超えた素子が熱源を検知した場合に、画像形成装置１００に人が接近したと判断したが、本発明はこれに限定されない。例えば、所定時間の間に、所定温度を超える温度を検知する素子の増加量が所定値を超えた場合に、画像形成装置１００に人が接近したと判断しても良い。
【００２５】
図６は、背景温度データを更新するためのフローチャートである。なお、各ステップは、センサＣＰＵ２３２が、プログラムを実行することで実現される。  画像形成装置１００が省電力モードに移行すると、センサＣＰＵ２３２は、次のように動作する。
まず、センサＣＰＵ２３２は、背景温度データを取得する（Ｓ６０１）。
そして、センサＣＰＵ２３２は、温度データ（Ｔ１）を取得する（Ｓ６０２）。
センサＣＰＵ２３２は、背景温度データと温度データ（Ｔ１）とを比較する（Ｓ６０３）。具体的には、センサＣＰＵ２３２は、背景温度データと温度データ（Ｔ１）との差分を算出する。これにより、加工データ（Ｔ１）が得られる。  センサＣＰＵ２３２は、加工データ（Ｔ１）から、画像形成装置１００の使用者が存在するか否かを判断する（Ｓ６０４）。使用者が存在しないと判断した場合には（Ｓ６０４：Ｎｏ）、所定時間（例えば、０．２秒）経過後（Ｓ６０５）に、再度、温度データ（Ｔ２）を取得する（Ｓ６０２）。このように、センサＣＰＵ２３２は、省電力モードの間、温度データを所定間隔で取得し続ける。
【００２６】
温度データの再度取得を繰り返した結果、図５（ｃ）の加工データ（Ｔ４）のように、センサＣＰＵ２３２によって、画像形成装置１００に接近する人が存在すると判断された場合には、画像形成装置１００は、スタンバイモードに移行する（Ｓ６０６）。具体的には、センサＣＰＵ２３２は、画像形成装置１００に接近する人が存在すると判断した場合、移行指示信号５０４を電源制御部２０３に送信する。移行指示信号５０４を受信した電源制御部２０３は、ＳＷ３１２をオンすることによって、画像形成装置１００をスタンバイモードに移行させる。
【００２７】
しかしながら、センサＣＰＵ２３２は、誤検知する場合がある。画像形成装置１００が省電力モードのときに、カーテンが開放されたり、パソコンの電源がＯＮされたり、蛍光灯が点灯されたりした場合には、背景温度データが示さなかった熱源が発生することになる。この場合、センサＣＰＵ２３２は、発生した熱源を、画像形成装置１００に接近するだと誤検知してしまう場合がある。
そこで、本実施形態では、上記してセンサＣＰＵ２３２によるスタンバイモードへの移行が、誤検知による移行である場合には（Ｓ６０７：Ｙｅｓ）、背景温度データを更新する。
【００２８】
誤検知であるか否かの判断は、画像形成装置１００がスタンバイモードに移行したにも関わらず、操作部１０１がスタンバイモード移行後、所定時間経過しても操作されなかった場合に、誤検知だと判断する。
図５（ｃ）のように、Ｔ４のタイミングでスタンバイモードに復帰したが、当該復帰が人の接近による復帰ではなかった場合には、温度データ（Ｔ４）が背景温度データに更新される（Ｓ６０８）。
【００２９】
本発明の各工程は、ネットワーク又は各種記憶媒体を介して取得したソフトウエア（プログラム）をパソコン（コンピュータ）等の処理装置（ＣＰＵ、プロセッサ）にて実行することでも実現できる。
【００３０】
本発明は上記実施形態に限定されるものではなく、本発明の趣旨に基づき種々の変形（各実施形態の有機的な組合せを含む）が可能であり、それらを本発明の範囲から除外するものではない。
【符号の説明】
【００３１】
１００  画像形成装置
【図１】
2018207498.tif 000003
【図２】
2018207498.tif 000004
【図３】
2018207498.tif 000005
【図４】
2018207498.tif 000006
【図５】
2018207498.tif 000007
【図６】
2018207498.tif 000008
【手続補正書】
【提出日】平成30年8月20日(2018.8.20)
【手続補正１】
【補正対象書類名】特許請求の範囲
【補正対象項目名】全文
【補正方法】変更
【補正の内容】
【特許請求の範囲】
【請求項１】
少なくとも第１電力モードと前記第１電力モードより消費電力が多い第２電力モードとを有する画像形成装置であって、
前記画像形成装置の前方の温度を示す温度データを出力する複数の素子を有するセンサと、
前記画像形成装置が前記第１電力モードに移行するときに、前記センサの各素子から出力された温度データのセットを背景温度データとして記憶する記憶手段と、
前記センサの各素子から出力された温度データのセットと予め前記記憶手段に記憶された前記背景温度データとに基づいて、前記画像形成装置を前記第１電力モードから前記第２電力モードに移行させる制御手段と、を備えることを特徴とする画像形成装置。
【請求項２】
前記制御手段は、前記センサの各素子から出力された温度データのセットを所定間隔で記憶し、記憶した複数の前記温度データのセットそれぞれと前記背景温度データとの比較結果に基づいて、前記画像形成装置を前記第１電力モードから前記第２電力モードに移行させる、ことを特徴とする請求項１に記載の画像形成装置。
【請求項３】
前記制御手段は、前記記憶手段に記憶された前記背景温度データを更新する、ことを特徴とする請求項１又は２に記載の画像形成装置。
【請求項４】
前記制御手段は、定期的に前記背景温度データを更新する、ことを特徴とする請求項３に記載の画像形成装置。 
【請求項５】
前記センサは、赤外線を受信する複数の素子を有するパッシブ型の赤外線センサである、ことを特徴とする請求項１乃至４の何れか１項に記載の画像形成装置。
【請求項６】
前記センサは、赤外線を出力し、且つ、赤外線を受信する複数の素子を有するアクティブ型の赤外線センサである、ことを特徴とする請求項１乃至４の何れか１項に記載の画像形成装置。
【請求項７】
前記センサは、前記複数の素子が線状または格子状に配列されたアレイセンサである、ことを特徴とする請求項１乃至６の何れか１項に記載の画像形成装置。
【請求項８】
用紙に画像を形成する画像形成手段をさらに備える、ことを特徴とする請求項１乃至７の何れか１項に記載の画像形成装置。
【請求項９】
前記センサは、前記画像形成装置が前記第１電力モードのときに所定間隔で温度データのセットを出力する、ことを特徴とする請求項１乃至８の何れか１項に記載の画像形成装置。
【請求項１０】
前記制御手段は、前記温度データのセットと前記背景温度データとに基づいて熱源の位置を特定し、特定した前記熱源の位置に基づいて前記画像形成装置を前記第１電力モードから前記第２電力モードに移行させる、ことを特徴とする請求項１乃至９の何れか１項に記載の画像形成装置。
【請求項１１】
前記センサの各素子から出力された温度データのセットは、前記画像形成装置の前方の温度分布を示す、ことを特徴とする請求項１乃至１０の何れか１項に記載の画像形成装置。
【請求項１２】
少なくとも第１電力モードと前記第１電力モードより消費電力が多い第２電力モードとを有する画像形成装置であって、前記画像形成装置の前方の温度を示す温度データを出力する複数の素子を有するセンサを備える画像形成装置の制御方法であって、
前記画像形成装置が前記第１電力モードに移行するときに、前記センサの各素子から出力された温度データのセットを背景温度データとして記憶手段に記憶する記憶工程と、
前記センサの各素子から出力された温度データのセットと予め前記記憶手段に記憶された前記背景温度データとに基づいて、前記画像形成装置を前記第１電力モードから前記第２電力モードに移行させる制御工程と、を有することを特徴とする画像形成装置の制御方法。
【請求項１３】
前記センサの各素子から出力された温度データのセットを所定間隔で記憶する定期記憶工程をさらに有し、
前記制御工程は、前記定期記憶工程で記憶された複数の前記温度データのセットそれぞれと前記背景温度データとの比較結果に基づいて、前記画像形成装置を前記第１電力モードから前記第２電力モードに移行させる工程である、ことを特徴とする請求項１２に記載の画像形成装置の制御方法。
【請求項１４】
前記記憶手段に記憶された前記背景温度データを更新する更新工程、をさらに有することを特徴とする請求項１２又は１３に記載の画像形成装置の制御方法。
【請求項１５】
前記更新工程は、定期的に前記背景温度データを更新する工程である、ことを特徴とする請求項１４に記載の画像形成装置の制御方法。
【請求項１６】
前記センサは、赤外線を受信する複数の素子を有するパッシブ型の赤外線センサである、ことを特徴とする請求項１２乃至１５の何れか１項に記載の画像形成装置の制御方法。
【請求項１７】
前記センサは、赤外線を出力し、且つ、赤外線を受信する複数の素子を有するアクティブ型の赤外線センサである、ことを特徴とする請求項１２乃至１５の何れか１項に記載の画像形成装置の制御方法。
【請求項１８】
前記センサは、前記複数の素子が線状または格子状に配列されたアレイセンサである、ことを特徴とする請求項１２乃至１７の何れか１項に記載の画像形成装置の制御方法。
【請求項１９】
用紙に画像を形成する画像形成工程をさらに有する、ことを特徴とする請求項１２乃至１８の何れか１項に記載の画像形成装置の制御方法。
【請求項２０】
前記センサは、前記画像形成装置が前記第１電力モードのときに所定間隔で温度データのセットを出力する、ことを特徴とする請求項１２乃至１９の何れか１項に記載の画像形成装置の制御方法。
【請求項２１】
前記制御工程は、前記温度データのセットと前記背景温度データとに基づいて熱源の位置を特定し、特定した前記熱源の位置に基づいて前記画像形成装置を前記第１電力モードから前記第２電力モードに移行させる工程である、ことを特徴とする請求項１２乃至２０の何れか１項に記載の画像形成装置の制御方法。
【請求項２２】
前記センサの各素子から出力された温度データのセットは、前記画像形成装置の前方の温度分布を示す、ことを特徴とする請求項１２乃至２１の何れか１項に記載の画像形成装置の制御方法。
【手続補正３】
【補正対象書類名】明細書
【補正対象項目名】０００１
【補正方法】変更
【補正の内容】
【０００１】
本発明は、画像形成装置及び画像形成装置の制御方法に関するものである。
【手続補正４】
【補正対象書類名】明細書
【補正対象項目名】０００６
【補正方法】変更
【補正の内容】
【０００６】
上記目的を達成する本発明の画像形成装置は以下に示す構成を備える。
少なくとも第１電力モードと前記第１電力モードより消費電力が多い第２電力モードとを有する画像形成装置であって、前記画像形成装置の前方の温度を示す温度データを出力する複数の素子を有するセンサと、前記画像形成装置が前記第１電力モードに移行するときに、前記センサの各素子から出力された温度データのセットを背景温度データとして記憶する記憶手段と、前記センサの各素子から出力された温度データのセットと予め前記記憶手段に記憶された前記背景温度データとに基づいて、前記画像形成装置を前記第１電力モードから前記第２電力モードに移行させる制御手段と、を備えることを特徴とする。